(57)【要約】【課題】簡素な構成を有しつつ、共通の構成を用いて種々の構造物を構成し得る設計自由度が高い組立構造体及び什器を提供する。【解決手段】本発明に係る什器の組立構造体Ａは、概略長尺状をなす柱体１１、この柱体１１の端面に設けられた当接面１１ａ、この当接面１１ａから平面視所定の形状で一方向に隆起させて設けられた凸部１２及びこの凸部１２とは異なる形状でこの当接面１１ａにおける縦方向横方向ともに偏心した位置から突出する嵌合突起１３を有する長尺構造体たる柱状構造体１と、立方体形状をなし接合面２１をそれぞれ所定の形状で凹ませて設け凸部１２に係合し得る凹部２２及び各接合面２１に形成され当該各接合面２１から挿入される嵌合突起１３に対し凹部２２が凸部１２に係合し且つ当接面１１ａが接合面２１に当接した状態で同時に嵌合し得る嵌合穴２３を有する接合体２とを具備する。【選択図】図２
2018146034.tif 000002
【特許請求の範囲】
【請求項１】
概略長尺状をなす長尺体、この長尺体の端面に設けられた当接面、この当接面から平面視所定の形状で一方向に隆起させて設けられた凸部及びこの凸部とは異なる形状でこの当接面における縦方向横方向ともに偏心した位置から突出する嵌合突起を有する長尺構造体と、
立方体形状をなし六面を構成する接合面をそれぞれ前記所定の形状で凹ませて設け前記凸部に係合し得る凹部及び前記各接合面に形成され当該各接合面から挿入される前記嵌合突起に対し前記凹部が前記凸部に係合し且つ前記当接面が前記接合面に当接した状態で同時に嵌合し得る嵌合穴を有する接合体と
を具備することを特徴とする組立構造体。
【請求項２】
前記当接面が、前記接合面と同じ形状をなす請求項１記載の組立構造体。
【請求項３】
前記長尺構造体が一体成形されたものである請求項１又は２記載の組立構造体。
【請求項４】
前記長尺体が、前記凸部及び前記嵌合突起とは別体に形成された天然木からなるものである請求項１又は２記載の組立構造体。
【請求項５】
前記長尺体が、湾曲形状をなすものである請求項１〜４の何れかに記載の組立構造体。
【請求項６】
平面視所定の形状で一方向に隆起させて設けられた凸部及びこの凸部とは異なる形状で一方向に突出させて設けられた嵌合突起を有し他方向側において概略長尺状をなす取付対象に接続する嵌合体と、
立方体形状をなし六面を構成する接合面をそれぞれ前記所定の形状で凹ませて設け前記凸部に係合し得る凹部及び前記各接合面において縦方向横方向ともに偏心した位置に形成され前記嵌合突起に対し前記凹部が前記凸部に係合した状態で同時に嵌合し得る嵌合穴を有する接合体と
を具備することを特徴とする組立構造体。
【請求項７】
前記取付対象が前記嵌合体とは別体をなすものであり、
当該嵌合体が、前記取付対象に係合し得る長尺側係合部を有している請求項６記載の組立構造体。
【請求項８】
前記長尺側係合部が、前記平面視所定の形状で他方向に隆起させて設けられた前記凸部と同じ形状をなす他方側凸部と、この他方側凸部とは異なる形状で他方向に突出させて設けられた前記嵌合突起と同じ形状をなす他方側突起とを有している請求項７記載の組立構造体。
【請求項９】
前記嵌合体が、前記一方向に面し前記接合面に当接し得る当接面と、前記他方向に面し前記取付対象の表面に接し得る長尺側当接面と、これら当接面及び長尺側当接面とを所定の角度をなして支持する角度形成部１５とを有するものである請求項６〜８の何れかに記載の組立構造体。
【請求項１０】
前記凸部が係合していない前記凹部に填め込まれる本体と、この本体が凹部に填め込まれたときに前記接合面と面一となる化粧面とを有する充填体を更に具備している請求項１〜９の何れかに記載の組立構造体。
【請求項１１】
請求項１〜１０の何れかに記載の組立構造体を少なくとも一部に有してなることを特徴とする什器。
【発明の詳細な説明】
【技術分野】
【０００１】
本発明は、什器をはじめとした種々の構造物の組み立てに利用可能な組立構造体および什器に関する。
【背景技術】
【０００２】
従来、様々な形状の組立構造体を相互に接続して任意の形態を作り出すことが可能な組立構造体は、組立玩具と称される態様にて例えば思考力、情緒等を育む玩具として子供のみならず大人にも広く親しまれている（例えば、特許文献１参照）。これらのものは、凸凹部を嵌合させて直方体状の各組立要素を相互に固定する構造のレゴブロック（登録商標）を挙げるまでもなく、現在でも多数のものが提案されている。またこれらの組立構造体は勿論、基本形状を直方体形状とする態様に限られず、例えば円形状をなすものや、また、長尺状をなすロッドと、このロッドを差し込むことにより接合させる接合体とを有する組立構造体が、「Ｚｏｍｅツール」と称されるものとして周知である。この「Ｚｏｍｅツール」によれば、ジョイントパーツにロッドを差し込むことで、フレーム状の多様な三次元物体を作ることができる。
【０００３】
他方、フレーム状をなす構造物として身近にあるものとしては、テーブルや棚などの什器を挙げることができる。こうした什器の例は、先行技術文献として特許文献（例えば、特許文献２参照）を挙げるまでもなく、枚挙にいとまはない。
【０００４】
そして勿論、上述した特許文献１等に記載の組立構造体を用いれば、使用者の所望の形状をなす什器のような組立構造物を作ることも可能である。
【先行技術文献】
【特許文献】
【０００５】
【特許文献１】特開２０１６−１０１２１９号公報
【特許文献２】特開２０１５−１９６０２２号公報
【発明の概要】
【発明が解決しようとする課題】
【０００６】
しかしながら、上述したレゴブロック（登録商標）を用いて什器のような組立構造物を作ろうとすると、柱や梁といった部分を各ブロックの積み重ねによって構成しなければならず、所望の構造を実現するためには不要な労力を費やしてしまうことがある。また「Ｚｏｍｅツール」と称されるものは、柱や梁として用いられる長尺状の部材の種類も限られているため、所望の仕上がり具合が得られないということも考えられる。
【０００７】
つまり現在、上記レゴブロック（登録商標）、Ｚｏｍｅツールや特許文献１に記載されたもののような高い組立ての自由度が有りつつも、上記特許文献２に記載されたもののように様々な構造を有する什器や家具を含む種々の組立構造体を容易に構成したいという要望があるのが現状である。換言すれば、組み立て玩具の如く組立ての自由度を高く構成し、少ない部品点数で自由な形状をなす組立構造物をつくることができる今までにないような構造が期待されている。
【０００８】
本発明は、このようなシーンに端を発したものであり、組立ての自由度が高い組立構造体及び什器を実現し、これにより上記の如き用途に資するとともに、組立構造体の新たな展開を図ることを目的としている。
【課題を解決するための手段】
【０００９】
本発明は、かかる目的を達成するために、次のような手段を講じたものである。
【００１０】
すなわち、本発明に係る組立構造体は、概略長尺状をなす長尺体、この長尺体の端面に設けられた当接面、この当接面から平面視所定の形状で一方向に隆起させて設けられた凸部及びこの凸部とは異なる形状でこの当接面における縦方向横方向ともに偏心した位置から突出する嵌合突起を有する長尺構造体と、立方体形状をなし六面を構成する接合面をそれぞれ前記所定の形状で凹ませて設け前記凸部に係合し得る凹部及び前記各接合面に形成され当該各接合面から挿入される前記嵌合突起に対し前記凹部が前記凸部に係合し且つ前記当接面が前記接合面に当接した状態で同時に嵌合し得る嵌合穴を有する接合体とを具備することを特徴とする。
【００１１】
また、本発明に係る什器は、上述した組立構造体を少なくとも一部に有してなることを特徴とする。
【００１２】
このようなものであれば、柱や梁といった長尺構造体を接合体に係り合わせることにより種々の構造をなす什器を構成することが可能となる。また立方体状をなす六面をそれぞれ選択的に長尺構造体に接合し得るように構成することにより、組立構造体を構成する部品点数を抑えながらも様々な構成をなす構造物すなわち什器を構成することが可能となる。その結果、組立ての自由度を高く構成し、少ない部品点数で自由な形状をなす構造物をつくることができる組立構造体並びに什器を提供することができる。
【００１３】
そして、仕上がった什器における軸組構造又はその一種である仕口の構成を外方から有効に隠蔽あるいは目立たないようにするためには、長尺構造体に設けた当接面を、接合面と同じ形状とすることが望ましい。斯かる構成により、当接面に当接した接合面は好適に隠蔽される。その結果、六面全てに長尺状構造体が配置されたときは、何れの面から見ても接合体を視認することが出来ないか困難となる。すなわち当接面の形状により仕口の構成を有効に隠蔽することができる。
【００１４】
一方、簡素な構成であり且つ部品点数を削減した上で本発明を実現できるようにするためには、長尺構造体を一体成形されたものとすることが望ましい。
【００１５】
他方、長尺構造体として既存の種々の材料を有効に利用することにより日本建築内の設置場所に好適に適応し得る什器を実現するためには、長尺構造体を、凸部及び嵌合突起とは別体に形成された天然木からなるものとすることが望ましい。
【００１６】
また設置箇所のスペースに好適に応じたり、設置箇所のデザインに好適に合致し得る構造を実現したりするためには、長尺構造体を、湾曲形状をなすものとしても良い。
【００１７】
そして、什器を構成するための既存の梁や柱を構成する素材のみならず、使用者のニーズに応じて所望の素材、形状を選択できつつも好適に什器を構成することができるようにするために本発明に係る組立構造体は、平面視所定の形状で一方向に隆起させて設けられた凸部及びこの凸部とは異なる形状で一方向に突出させて設けられた嵌合突起を有し他方向側において概略長尺状をなす取付対象に接続する嵌合体と、立方体形状をなし六面を構成する接合面をそれぞれ前記所定の形状で凹ませて設け前記凸部に係合し得る凹部及び前記各接合面において縦方向横方向ともに偏心した位置に形成され前記嵌合突起に対し前記凹部が前記凸部に係合した状態で同時に嵌合し得る嵌合穴を有する接合体とを具備することを特徴とするものである。
【００１８】
このようなものであっても、上記同様の本発明の効果を奏し得る。
【００１９】
そして取付対象が嵌合体とは別体をなすものである場合の具体的な構成として、当該嵌合体が、取付対象に係合し得る長尺側係合部を有している構成を挙げることができる。
【００２０】
また、部品点数の削減を実現や構成の簡素化を実現しつつ、組立構造体の組立て時の作業を有効に削減できるようにするためには、長尺側係合部を、平面視所定の形状で他方向に隆起させて設けられた凸部と同じ形状をなす他方側凸部と、この他方側凸部とは異なる形状で他方向に突出させて設けられた嵌合突起と同じ形状をなす他方側突起とを有したものとすることが望ましい。
【００２１】
更に、接合体に接続する長尺体の延伸方向を所要の方向に設定することで、所要の形状をなす構造物を有効に実現できるようにするためには、嵌合体を、一方向に面し接合面に当接し得る当接面と、他方向に面し取付対象の表面に接し得る長尺側当接面と、これら当接面及び長尺側当接面とを所定の角度をなして支持する角度形成部１５とを有するものとすることが望ましい。
【００２２】
特に、接合体を設ける位置によっては必ずしも六面全てに嵌合突起が挿入されたり接合面が隠蔽されたりするとは限らない。すなわち、接合体に対して係り合う嵌合突起の数や場所に拘わらず、接合体の外見を良好なものとするためには、凸部が係合していない凹部に填め込まれる本体と、この本体が凹部に填め込まれたときに接合面と面一となる化粧面とを有する充填体を更に設けるようにすれば良い。
【発明の効果】
【００２３】
以上説明した本発明によれば、簡素な構成を有しつつ、共通の構成を用いて種々の構造物を構成し得る設計自由度が高い組立構造体及び什器を提供することができる。
【図面の簡単な説明】
【００２４】
【図１】本発明の一実施形態に係る外観図。
【図２】同実施形態に係る他の外観図。
【図３】同実施形態に係る接合体の斜視図。
【図４】同接合体の六面を示すための図。
【図５】同実施形態に係る柱状構造体を示す構成説明図。
【図６】同実施形態に係る作用説明図。
【図７】本発明の他の実施形態に係る構成説明図。
【図８】同上。
【図９】同上。
【図１０】同上。
【発明を実施するための形態】
【００２５】
以下、本発明の一実施形態を、図面を参照して説明する。
【００２６】
図１は、本実施形態の組立構造体Ａを利用した例を示し、図２は、一例として一本の柱状構造体１を接合体２から離間させた態様を示したものである。図３及び図４は組立構造体Ａを構成する接合体２の構成図である。そして、図５は組立構造体Ａを構成する柱状構造体１の構成図である。本実施形態の組立構造体Ａに図示しないオプション部材である棚板及びアジャスタ等を付帯させることにより、種々の什器を構成し得る。
【００２７】
本実施形態に係る組立構造体Ａは、概略長尺状をなす長尺体たる柱体１１、この柱体１１の端面に設けられた当接面１１ａ、この当接面１１ａから平面視所定の形状で一方向に隆起させて設けられた凸部１２及びこの凸部１２とは異なる形状でこの当接面１１ａにおける縦方向横方向ともに偏心した位置から突出する嵌合突起１３を有する長尺構造体たる柱状構造体１と、立方体形状をなし六面を構成する接合面２１をそれぞれ所定の形状で凹ませて設け凸部１２に係合し得る凹部２２及び各接合面２１に形成され当該各接合面２１から挿入される嵌合突起１３に対し凹部２２が凸部１２に係合し且つ当接面１１ａが接合面２１に当接した状態で同時に嵌合し得る嵌合穴２３を有する接合体２とを具備する。
【００２８】
以下、本実施形態の具体的な構成について、図１〜図６に示して説明する。
【００２９】
本実施形態に係る組立構造体Ａは、長尺構造体たる柱状構造体１と、複数の柱状構造体１の一端を同時に接合することができる接合体２とを主体としたものである。
【００３０】
接合体２は、図３及び図４に示すように、正方形状をなす六つの接合面２１全てに単一の凹部２２及び二つの嵌合穴２３を設けたものである。凹部２２は、二つの嵌合穴２３を連結するように概略六角形状に接合面２１を所定寸法凹ませることにより形成されたものであり、柱状構造体１側と係り合うことにより、接合面２１が柱状構造体１側に接することを許容するためのものである。
【００３１】
嵌合穴２３は、接合面２１の中心から偏位した位置に二つ設けられた矩形状をなす穴であり、柱状構造体１側と嵌合することにより柱状構造体１に強固に接合するためのものである。本実施形態では接合面２１に二つの嵌合穴２３を設けることにより、接合体２に対し柱状構造体１を二通りの向きにて接合させ得る構成としているが勿論、接合面２１の中心から縦方向にも横方向にも偏位している位置に設けてあれば、嵌合穴２３の形状並びに数は何ら限定されるものではない。
【００３２】
また接合体２は、特に図３及び図４に示すように、意匠に係る物品名としては什器用接合具と称され得るものである。物品の説明としては、本物品たる接合体２は、概略立方体形状をなし六面の任意の面に長尺状をなす柱や梁を取り付けることにより什器を構成するためのものである。図３（ａ）は、正面、平面、右側面を示す三面図すなわち斜視図である。図３（ｂ）は、背面、左側面、平面を示す三面図すなわち斜視図である。また、図４には正面図、平面図及び右側面図を示している。また背面図は、同図の正面図とは左右対称にあらわれる。底面図は、同図の平面図とは左右対称にあらわれる。左側面図は、同図の右側面図とは左右対称にあらわれる。すなわち、接合体２の六面では全て対向する面に設けられた凹部２２並びに嵌合穴２３が左右対称に形成されるため、各面に形成された嵌合穴２３は、対向する嵌合穴２３に連通する構成をなす。また接合体２は、図３に想像線で示すように、内部には二箇所、いずれの嵌合穴２３も形成されない概略矩形状をなす中実部分２ａが含まれている。そして接合体２は、これら二つの中実部分２ａから適宜板状をなす板状部分２ｂ及び棒状をなす棒状部分２ｃが延出して当該二つの中実部分２ａを連結することによって嵌合穴２３を構成しつつ外形を構成している。
【００３３】
柱状構造体１は、図２及び図５に示すように、接合体２の接合面２１に柱体１１の当接面１１ａを突き当てることにより接合させるものであり、当該柱体１１と、この柱体１１から所定の形状にて膨出する凸部１２と、凸部１２とは異なる形状にて凸部１２よりも大きい寸法突出する嵌合突起１３とを有している。凸部１２は、本実施形態では当接面１１ａの対角線方向に延びる概略六角形状をなすように形成し、接合体２の凹部２２に隙間無く充填され得る形状となっている。嵌合突起１３は、概略直方体状に突出することにより、接合体２の嵌合穴２３に隙間無く嵌まり得るようになっている。
【００３４】
本実施形態ではこの柱状構造体１は、柱体１１、凸部１２及び嵌合突起１３を一体に成形している。また本実施形態では柱体１１の一端部のみに凸部１２並びに嵌合突起１３が形成された端部柱体１１と、両端部に凹部２２並びに嵌合突起１３が形成された中間柱体１１とを用いている。これにより、種々の形状をなす什器を構成し得るようにしている。当接面１１ａは、接合面２１と同じ形状をなすように構成している。これにより図１に示すように、接合体２の六面全てに柱状構造体１を接続したときには接合体２は各柱状構造体１により好適に隠蔽された状態となる。
【００３５】
そして本実施形態では、凸部１２と嵌合突起１３とによって柱状構造体１を構成する主要な構成要素である嵌合体１０を構成している。換言すれば、本実施形態では当該嵌合体１０を柱体１１に一体に構成している態様であるということができる。
【００３６】
そして本実施形態では図６に模式的に示すように、接合体２に六本の柱状構造体１を接合させたときは、それぞれの嵌合突起１３が嵌合穴２３に挿入され、接合体２の内部は略隙間無い中実の状態となる。これにより組立構造体Ａの強度は、換言すれば柱状構造体１を結合させた軸組構造を構成する仕口としての強度は有効に向上する。本実施形態では接合体２に計１２個の嵌合穴２３が設けられているが、任意の接合面２１の一の嵌合穴２３へ嵌合突起１３を挿入すると隣接する接合面２１の一の嵌合穴２３が横方向から嵌合突起１３に埋められてしまう。すなわち六面から全て嵌合突起１３が挿入されると１２個の嵌合穴２３はすべて埋められる。そして嵌合突起１３が通らない箇所には中実部分２ａが位置付けられているため、図１に示した状態では接合体２の内部は強度が高い略中実な状態となっている。
【００３７】
このように、本実施形態に係る組立構造体Ａによれば、見た目も良好で強度も高い什器の軸組構造を構成することができる。
【００３８】
＜他の実施形態＞
【００３９】
以下、本発明の他の実施形態について説明する。以下の説明において、上記実施形態において説明した構成要素に相当するものに対しては同じ符号を付すとともに、その詳細な説明を省略する。
【００４０】
上記実施形態では、嵌合体１０が柱体１１と一体的に形成されることによって長尺構造体すなわち柱状構造体１の柱体１１が略直接的に接合体２に接合される態様を開示したが勿論、嵌合体１０が柱体１１と別体に構成されている態様を妨げるものではない。
【００４１】
本実施形態では図７に示すように、上記実施形態同様の接合体２に対し、使用者或いは施工者が建築物との兼ね合い等を考慮し所望の天然木ＮＷを柱体１１として用いる際に好適に適用される態様を開示するものである。
【００４２】
具体的に説明すると、本実施形態に係る組立構造体Ａは、柱体１１そのものを構成要素としない。すなわち本実施形態に係る組立構造体Ａは、上記実施形態にて示した凸部１２及び嵌合突起１３を一方に有し他方向側において概略長尺状をなす取付対象である柱体１１に接続する嵌合体１０と、上記実施形態同様の接合体２とを具備することを特徴とする。つまり上記実施形態では嵌合体１０と一体であった柱体１１は、嵌合体１０に対する取付対象であるともいうことができる。
【００４３】
以下、嵌合体１０の構成について図７及び図８に示して説明する。
【００４４】
嵌合体１０は、図７に示すように、上記実施形態同様の凸部１２、嵌合突起１３を一方に有するとともに、他方において別体をなす天然木ＮＷといった柱体１１に対し係合するための柱側係合部１４を備えたものである。
【００４５】
柱側係合部１４は、上記凸部１２と同形状をなす長尺側凸部たる柱側凸部１４ｂと、上記嵌合突起１３と同形状をなす長尺側突起たる柱側突起１４ｃとを有している。つまり同図に示す嵌合体１０は、一方、他方ともに形状を同じくしてあるので、接合体２へ係り合う側が上記実施形態同様の凸部１２、嵌合突起１３となり、天然木ＮＷである柱体１１へ係り合う側が柱側係合部１４を構成する柱側凸部１４ｂ及び柱側突起１４ｃであるともいうことができる。斯かる構成により、天然木ＮＷを柱体１１として用いる際に容易に適用し得るとともに、嵌合体１０自体も汎用性が高いものとなっている。
【００４６】
併せて本実施形態では勿論、柱体１１側において、換言すれば天然木ＮＷに対し、上記凹部２２同様の形状をなす柱側凹部１１ｂと、上記嵌合穴２３と同じ形状をなす柱側穴１１ｃが予め加工されていることはいうまでもない。
【００４７】
つまり使用者は好みの天然木ＮＷを用いた什器を作成或いは注文したい場合、天然木ＮＷの端部に柱側凹部１１ｂ、柱側穴１１ｃを加工するという簡単な処置を施すのみで、好適に本実施形態に係る軸組構造の一種である仕口を具備する什器を得ることができる。
【００４８】
また図８に示すように本実施形態では、嵌合体１０が図７同様の柱側係合部１４に加え、更に角度形成部１５を具備することにより、接合体２の接合面２１が面する方向とは傾斜した方向に天然木ＮＷからなる柱体１１を延出させることも可能である。
【００４９】
同図に示す嵌合体１０は、凸部１２及び柱側凸部１４ｂとの間に角度形成部１５を介在させたものである。すなわち同図に示す嵌合体１０は、図７に示した構成に加え、一方向すなわち接合体２側に面し接合面２１に当接し得る当接面１５ａと、他方向すなわち柱体１１側に面し取付対象である柱体１１の表面たる当接面１１ａに接し得る長尺側当接面たる柱側当接面１５ａと、これら当接面１１ａ及び柱側当接面１５ａとを所定の角度θをなして支持する角度形成体１５ｃとを有した角度形成部１５を具備するものである。なお同図に示す角度形成部１５が形成する所定の角度θは一例として３０°に設定されているが、当該所定の角度は３０°に限定されないことは勿論である。
【００５０】
このような嵌合体１０を適宜用いれば、屋根を具備する構造物をはじめとした多様な形状の構造物を構成することができる。
【００５１】
また、多様な構造物を構成するための更なる態様として、図９（ａ）及び図９（ｂ）に示す態様を挙げることができる。
【００５２】
図９（ａ）は、隣接する柱状構造体１の上端に接合された接合体２間の上向きの接合面２１同士を、対をなす中間柱体１Ｎ及び単一の接合体２、そして４つの嵌合体１０によりアーチ状、同図では具体的には概略屋根形形状をなすように接続した態様を示している。同図に用いた嵌合体１０は上記図８同様の角度形成部１５を有するものであるが、角度形成体１５ｃにおいて設定された所定の角度θを、４５°に設定したものとしている。このような構成を併用すれば、組立構造体を構成する部品の品種数を抑えながら、より多様な構造物の構成に資する。
【００５３】
図９（ｂ）は、接合体２の上面側に嵌合体１０を介して自然木ＮＴを配した構成を図示したものである。このように本実施形態に係る嵌合体１０を用いれば、接合体２に接合させる取付対象を既存の構成にとらわれず、自由に設定することができる。なお自然木ＮＴの端面には図示しない柱側凹部１１ｂ及び柱側穴１１ｃが形成され、図７に示す嵌合体１０によって接続されていることはいうまでもない。
【００５４】
また、上記各実施形態にて示した接合体２において、嵌合体１０が何ら嵌合していない接合面２１は凹部２２及び嵌合穴２３が外方に露出してしまう。
【００５５】
そこで本実施形態では図１０に示すように凸部１２が係合していない凹部２２に填め込まれる本体３１と、この本体３１が凹部２２に填め込まれたときに接合面２１と面一となる化粧面３２とを有する充填体３を更に備えている。また本実施形態では更に、本体３１から上記嵌合突起１３同様の充填突起３３をさらに突出させている。これにより、嵌合体１０が何ら嵌合していない接合面２１は化粧面３２に覆われて見た目が損なわれることはない。また充填突起３３が接合体２内部に充填されるために図１、図６に示した仕口同様の強度を得ることができる。
【００５６】
以上のように、本実施形態並びに他の実施形態に係る什器を構成する組立構造体Ａは、概略長尺状をなす柱体１１の端面に設けられた当接面１１ａに設けられた凸部１２及び嵌合突起１３を有する柱状構造体１と、立方体形状をなし正方形状の接合面２１に凹部２２及び嵌合穴２３を設けた接合体２とを有するものである。
【００５７】
このように構成することで、柱や梁といった柱状構造体１を接合体２に係り合わせることにより種々の構造をなす什器を構成することが可能となる。また立方体状をなす六面をそれぞれ選択的に柱状構造体１に接合し得るように構成することにより、組立構造体Ａを構成する部品点数を抑えながらも様々な構成をなす構造物すなわち什器を構成することが可能となる。その結果、組立ての自由度を高く構成し、少ない部品点数で自由な形状をなす構造物を構築することができる組立構造体Ａ並びに什器が実現される。
【００５８】
そして本実施形態では、柱状構造体１に設けた当接面１１ａを、接合面２１と同じ形状とすることにより、当接面１１ａにより接合面２１が隠蔽されるので、仕上がった什器における仕口の構成を外方から有効に隠蔽あるいは目立たないようにすることができる。
【００５９】
そして上記実施形態では柱状構造体１を一体成形とすることにより、簡素な構成であり且つ部品点数を有効に削減せしめている。
【００６０】
他方、本実施形態では図７、図８に示すように、柱体１１として天然木ＮＷを用い、別体の嵌合体１０に接合することによって柱状構造体１を構成している。これにより、日本建築内の設置場所に好適に適応し得る什器を実現せしめている。また本実施形態では天然木ＮＷのみならず図９（ｂ）に示すように枝葉を有するような自然木ＮＴも接合体２に接合することができ、より自由な発想による構造物の構築に資するものとなっている。
【００６１】
そして、什器を構成するための既存の梁や柱を構成する素材のみならず、使用者のニーズに応じて所望の素材、形状を選択できつつも好適に什器を構成することができるようにするために図９に示した組立構造体Ａは、柱体１１を嵌合体１０とは別体に構成し、嵌合体１０の取付対象として単に柱状のもののみならず種々の取付対象に適応し得るようにした。これにより、図９（ｂ）に示すように枝葉を有するような自然木ＮＴも用いるなど、より自由な発想による構造物の構築が実現されている。
【００６２】
そして本実施形態では、嵌合体１０が、当該嵌合体１０とは別体である天然木ＮＷからなる柱体１１、枝葉を有したままの自然木ＮＴのような種々の形状をなす取付対象に対して好適に適用し得るように、これらの取付対象に係合し得る長尺側係合部たる柱側係合部１４を有している構成を適用している。
【００６３】
また本実施形態では、上記長尺側係合部たる柱側係合部１４の形状として、凸部１２と同じ形状をなす他方側凸部１４ｂと、嵌合突起１３と同じ形状をなす他方側突起たる柱側突起１４ｃとを有したものとすることで、使用者にとって扱いやすいものとしている。
【００６４】
更に、接合体２に接続する長尺体の延伸方向を所要の方向に設定することで、所要の形状をなす構造物を有効に実現できるようにするために本実施形態では、嵌合体１０が、一方向に面し接合面２１に当接し得る当接面１１ａと、他方向に面し前記取付対象の表面に接し得る長尺側当接面１１ａたる柱側当接面１１ａと、これら当接面１１ａ及び柱側当接面１１ａとを所定の角度をなして支持する角度形成部１５とを有するものとしている。
【００６５】
特に本実施形態では、接合体２に対して係り合う柱状構造体１や嵌合体１０の嵌合突起１３の数や場所に拘わらず、接合体２の外見を良好なものとするために、凸部１２が係合していない凹部２２に填め込まれる本体３１と、この本体３１が凹部２２に填め込まれたときに接合面２１と面一となる化粧面３２とを有する充填体３を更に設け、柱状構造体１や嵌合体１０が係り合わない接合面２１に取り付けるようにしている。特に本実施形態では、充填体３が嵌合突起１３と同じ形状をなす充填突起３３を更に有しているので、柱状構造体１や嵌合体１０が係り合わない接合面２１全てに充填体３を取り付ければ、什器を構成する何れの仕口構成体の強度もおしなべて高く維持せしめている。
【００６６】
以上、本発明の一実施形態について説明したが、各部の具体的な構成や断面形状、材料等は上述した実施形態のみに限定されるものではない。例えば上記実施形態では長尺構造体として直線状に延出する柱状構造体を専ら開示したが勿論、長尺構造体の形状は長尺形状であれば、湾曲しつつ延出するようなものであってもよい。
【００６７】
例えば、上記実施形態では組立構造体として主に什器の枠組みに相当する構成を中心に開示したが勿論、オプションとして別途棚板、天板、パネル、フック、キャスタ、アジャスタ等が別途組み付けられる態様を否定するものではない。そればかりか今回図示しなかったこれら種々のオプション部材を利用することにより更なる多様な構造体を実現することができる。また上記実施形態では嵌合突起、嵌合穴の配置が凸部、凹部と重なるような配置としていたが勿論、当接面及び接合面における離間した位置に配置しても良い。
【００６８】
その他の構成も、本発明の趣旨を逸脱しない範囲で種々変形が可能である。
【符号の説明】
【００６９】
Ａ…組立構造体
１…長尺構造体（柱状構造体）
１１…長尺体（柱体）
１１ａ…当接面
１２…凸部
１３…嵌合突起
２１…接合面
２２…凹部
２３…嵌合穴
１０…嵌合体
１４…長尺側係合部（柱側係合部）
１４ｂ…他方側凸部（柱側凸部）
１４ｃ…他方側突起（柱側突起１４ｃ）
１５…角度形成部１５
１５ａ…当接面（柱側当接面）
１５ｂ…長尺側当接面（柱側当接面）
１５ｃ…角度形成体
３…充填体
３１…本体
３２…化粧面
３３…充填突起
ＮＴ…自然木
ＮＷ…天然木
【図１】
2018146034.tif 000003
【図２】
2018146034.tif 000004
【図３】
2018146034.tif 000005
【図４】
2018146034.tif 000006
【図５】
2018146034.tif 000007
【図６】
2018146034.tif 000008
【図７】
2018146034.tif 000009
【図８】
2018146034.tif 000010
【図９】
2018146034.tif 000011
【図１０】
2018146034.tif 000012